(57)【要約】【課題】ハウジングの前面に開口する孔によって構成が複雑になるのを回避した上で、孔を利用したガイド機能の信頼性を高める。【解決手段】ハウジング１０における互いに隣接するキャビティ１１間を仕切る隔壁２３には、両キャビティ１１のそれぞれの内部に向けて前方に突出し且つこのキャビティ１１内に挿入された端子金具６０を抜け止め状態に弾性係止可能な対をなすランス１９が背中合わせで配置されている。ハウジング１０の前面には、隔壁２３の前方に位置して、内側に両ランス１９が撓み変形する共通の撓み空間を有する孔２２Ａが開口して形成されている。ハウジング１０の孔２２Ａの両側面には、前後方向に延出してハウジング１０の前面に開口する一対のガイド溝２７が形成されている。【選択図】図１
2014044863.tif 000002
【特許請求の範囲】
【請求項１】
端子金具を挿入可能な複数のキャビティを有するとともに、互いに隣接するキャビティ間を仕切る隔壁に背中合わせで配置され、前記隣接するキャビティのそれぞれの内部に向けて前方に突出し且つこのキャビティ内に挿入された前記端子金具を抜け止め状態に弾性係止可能な対をなすランスを有するハウジングを備え、
前記ハウジングの前面には、前記隔壁の前方に位置して、内側に前記背中合わせで配置された両ランスが撓み変形する共通の撓み空間を有する孔が開口して形成され、
前記ハウジングの前記孔の両側面には、前後方向に延出して前記ハウジングの前面に開口する一対のガイド溝が形成されていることを特徴とするコネクタ。
【請求項２】
前記一対のガイド溝が、幅方向に関して前記隣接するキャビティのそれぞれの幅内に収まる範囲に配置されていることを特徴とする請求項１記載のコネクタ。
【請求項３】
前記隣接するキャビティが上下方向に並んで配置され、前記ハウジングの前面における前記一対のガイド溝の上下両縁部には、治具を誘い込むための誘い込み部が前方に拡開して形成されていることを特徴とする請求項１又は２記載のコネクタ。
【発明の詳細な説明】
【技術分野】
【０００１】
本発明は、コネクタに関する。
【背景技術】
【０００２】
特許文献１に開示されたコネクタは、少なくとも上下２段のキャビティを有するとともに、各キャビティの内壁下面から内側前方に突出する撓み可能なランスを有するハウジングを備えている。また、ハウジングの前面には各ランスの撓み空間を有する孔がそれぞれのキャビティ毎に開口して形成されている。
【０００３】
各キャビティ内には後方から端子金具が挿入され、正規挿入された端子金具はランスによって弾性的に抜け止め係止されるようになっている。また、ハウジングの各孔内には、前方からランスチェックピンが挿入される。端子金具がキャビティ内に正規挿入された場合には、ランスチェックピンがランスの撓み空間に正規深さで進入する一方、端子金具がキャビティ内に正規挿入されずに半挿入位置に留め置かれると、ランスが半挿入状態の端子金具に押圧されて撓み空間に撓み変形したままとなり、ランスチェックピンがこの撓み変形したランスに当接してそれ以上の進入動作が阻止される。このため、ランスチェックピンが孔内に正規深さで進入するか否かによって、キャビティ内への端子金具の挿入状態を確認することができるようになっている。
【先行技術文献】
【特許文献】
【０００４】
【特許文献１】特開平７−１６１４２９号公報
【発明の概要】
【発明が解決しようとする課題】
【０００５】
ところで、上記の場合、端子金具の挿入状態を検知するための孔がキャビティ毎に設けられているため、コネクタ及び治具の構成が複雑になるという事情がある。また、孔が精度良く成形されない場合に、孔内へのランスチェックピンの進入角度が適正でないと、ランスチェックピンが弾性復帰したランスにも当接して、端子金具が半挿入状態にあると誤認するおそれがある。
【０００６】
本発明は上記のような事情に基づいて完成されたものであって、ハウジングの前面に開口する孔によって構成が複雑になるのを回避した上で、孔を利用したガイド機能の信頼性を高めることを目的とする。
【課題を解決するための手段】
【０００７】
本発明のコネクタは、端子金具を挿入可能な複数のキャビティを有するとともに、互いに隣接するキャビティ間を仕切る隔壁に背中合わせで配置され、前記隣接するキャビティのそれぞれの内部に向けて前方に突出し且つこのキャビティ内に挿入された前記端子金具を抜け止め状態に弾性係止可能な対をなすランスを有するハウジングを備え、前記ハウジングの前面には、前記隔壁の前方に位置して、内側に前記背中合わせで配置された両ランスが撓み変形する共通の撓み空間を有する孔が開口して形成され、前記ハウジングの前記孔の両側面には、前後方向に延出して前記ハウジングの前面に開口する一対のガイド溝が形成されているところに特徴を有する。
【発明の効果】
【０００８】
隣接するキャビティ間を仕切る隔壁にランスが背中合わせで配置され、両ランスの撓み空間が共通の孔に保有されているため、キャビティ毎に孔が形成されるよりも、全体の構成が簡素化される。また、孔の両側面に一対のガイド溝が形成されているため、両ガイド溝で治具が位置決めされ、ガイド機能の信頼性が高められる。
【図面の簡単な説明】
【０００９】
【図１】本発明の実施例１に係るコネクタのハウジングの正面図である。
【図２】ハウジングの要部拡大正面図である。
【図３】ハウジングのキャビティ内に端子金具が正規挿入され、ハウジングの孔内に治具が挿入される状態をあらわす断面図である。
【図４】ハウジングのキャビティ内に端子金具が半挿入状態で留め置かれ、ハウジングの孔内への治具の挿入動作が規制される状態をあらわす断面図である。
【図５】ハウジングの平面図である。
【図６】ハウジングの底面図である。
【図７】治具の背面図である。
【図８】治具の平面図である。
【図９】治具の側面図である。
【発明を実施するための形態】
【００１０】
本発明の好ましい形態を以下に示す。
前記一対のガイド溝が、幅方向に関して前記隣接するキャビティのそれぞれの幅内に収まる範囲に配置されている。一対のガイド溝によってハウジングの幅寸法が増加する懸念があるものの、このように一対のガイド溝がキャビティの幅内に収まる形態であれば、ハウジングの幅寸法が増加することがない。
【００１１】
前記隣接するキャビティが上下方向に並んで配置され、前記ハウジングの前面における前記一対のガイド溝の上下両縁部には、治具を誘い込むための誘い込み部が前方に拡開して形成されている。誘い込み部によって治具がガイド溝内に円滑に誘い込まれる。また、誘い込み部によってガイド溝の上下方向のデッドスペースが有効に利用される。
【００１２】
＜実施例１＞
本発明の実施例１を図１〜図９によって説明する。本実施例のコネクタは、合成樹脂製のハウジング１０と、ハウジング１０内に収容される導電金属製の端子金具６０とを備えている。
【００１３】
端子金具６０は、図３に示すように、図示しない相手端子金具のタブが挿入接続される箱状の本体部６１と、本体部６１の後方に位置して電線９０の端末部において被覆９１の除去により露出する芯線９２に圧着接続されるオープンバレル状のワイヤバレル６２と、ワイヤバレル６２の後方に位置して電線９０の端末部における被覆９１に圧着接続されるオープンバレル状のインシュレーションバレル６３とで構成されている。本体部６１内にはタブに弾性接触可能な弾性接触片６４が延出して形成され、本体部６１の周壁の底部には後述するランス１９の係止突起２１が進入可能なランス孔６５が開口して形成されている。
【００１４】
ハウジング１０は略角ブロック状をなし、内部に、前後方向に延出する複数のキャビティ１１が形成されている。図１に示すように、各キャビティ１１は、ハウジング１０の幅方向両端部に位置する一対ずつの端側キャビティ１１Ａと、ハウジング１０の幅方向中央部の下側に位置する一つの中央側キャビティ１１Ａとからなる。高さ方向で対をなす端側キャビティ１１Ａは、高さ方向の同軸上に並列に配置されている。
【００１５】
図１に示すように、ハウジング１０の前面における各キャビティ１１の前端には、図示しない相手ハウジングに装着されたタブが挿入可能な横長スリット状のタブ挿入口１２が開口して形成され、且つタブ挿入口１２の周囲に、タブを誘い込むテーパ状のタブ案内面１３が前方に拡開して形成されている。
【００１６】
図１及び図５に示すように、ハウジング１０の幅方向中央部の上側には、中央側キャビティ１１Ａの上方で且つ左右の端側キャビティ１１Ａの間に、前後方向に延出する凹溝１４が凹み形成されている。ハウジング１０の凹溝１４内には、ロックアーム１５が配置されている。ロックアーム１５は、凹溝１４の底面前端から立ち上がったあと後方へ延出するアーム状の形態とされ、延出方向途中に、ロック突起１６が上方に突出して形成されている。ハウジング１０が図示しない相手ハウジングと嵌合されると、ロックアーム１５の撓み動作を伴ったあとロック突起１６が相手ハウジングに弾性的に係止され、これによって両ハウジングが嵌合状態に保持されるようになっている。なお、ロックアーム１５は、ロック突起１６を除いて凹溝１４内に収容されている。
【００１７】
図１に示すように、ハウジング１０の下部には、左右の端側キャビティ１１Ａと中央側キャビティ１１Ａとの間を仕切る位置に、一対のスリット溝１７が形成されている。両スリット溝１７は前後方向に延出してハウジング１０の前面に開口する縦長溝状の形態とされている。図示しない相手ハウジングには、嵌合時に、両スリット溝１７内に位置決め状態で挿入される一対のリブが形成されている。また、図５及び図６に示すように、ハウジング１０の上下両面には、各キャビティ１１と対応する位置に、前後方向に延出してハウジング１０の前面に開口する浅底の凹所１８が形成されている。
【００１８】
また、図３に示すように、ハウジング１０の各キャビティ１１の内壁には、撓み可能なランス１９が前方に片持ち状に突出して形成されている。各ランス１９の前端部には係止突起２１がキャビティ１１内に突出して形成されている。各キャビティ１１内には後方から端子金具６０が挿入される。各キャビティ１１内に端子金具６０が正規挿入されると、ランス１９の撓み動作を伴ったあと本体部６１のランス孔６５内に係止突起２１が嵌まり込み、もって端子金具６０が各キャビティ１１内に抜け止め保持されるようになっている。
【００１９】
図１に示すように、ハウジング１０の前面には、各ランス１９を成形する図示しない金型が引き抜かれることに起因して型抜き孔２２が開口して形成されている。型抜き孔２２は、タブ案内面１３を切り欠いてタブ挿入口１２に連通する形態とされ、ランス１９の前面は、型抜き孔２２を通して前方から目視可能とされている。
【００２０】
左右の端側キャビティ１１Ａに形成された各ランス１９は、図３に示すように、高さ方向で隣接する端側キャビティ１１Ａ間を仕切る隔壁２３の上下両面から突出する形態とされ、高さ方向で隣接する者同士が互いに背中合わせで配置されている。背中合わせで配置された両ランス１９は、共通の型抜き孔２２（以下、単に孔２２Ａという）に撓み変形され、この孔２２Ａ内に撓み空間を有している。
【００２１】
図２に示すように、孔２２Ａの内縁は、上段の端側キャビティ１１Ａにおける下側のタブ案内面１３を切り欠き、且つ下段の端側キャビティ１１における上側のタブ案内面１３を切り欠いて、係止突起２１を挟んだ両側に配置される高さ方向にほぼ沿った一対ずつの第１側縁２４と、ハウジング１０の高さ方向略中央部において係止突起２１を除くランス１９を挟んだ両側に配置される高さ方向にほぼ沿った一対の第２側縁２５と、第１側縁２４から第２側縁２５にかけて幅方向に膨出するように延びる四半円弧状の一対ずつの膨出縁２６とを有している。さらに、孔２２Ａの両第２側縁２５の高さ方向略中央部には、一対のガイド溝２７が切り欠いて形成されている。
【００２２】
両ガイド溝２７は、ハウジング１０の前面からランス１９の根元にかけて前後方向に延びる断面角Ｕ字形の溝とされ、図２に示すように、隔壁２３と同じ高さ位置において幅方向に同軸上に並列して配置されている。詳しくは、両ガイド溝２７の上縁は、上段の端側キャビティ１１Ａに形成されたランス１９の下面とほぼ同じ高さ位置に幅方向にほぼ沿って配置され、両ガイド溝２７の下縁は、下段の端側キャビティ１１Ａに形成されたランス１９の上面とほぼ同じ高さ位置に幅方向にほぼ沿って配置されている。また、両ガイド溝２７の側縁は高さ方向で隣接する両キャビティ１１の側面よりも幅方向内側に配置され、つまり、両ガイド溝２７は高さ方向で隣接する両キャビティ１１の幅内に収まるように配置されている。
【００２３】
また、図２に示すように、ハウジング１０の前面における両ガイド溝２７の上下両縁には、孔２２Ａ内に挿入される治具４０を誘い込む一対ずつの誘い込み部２８が前方に拡開して形成されている。誘い込み部２８は、タブ案内面１３よりも小さい高さ寸法を有し、両ガイド溝２７の側縁には形成されていない。なお、中央側キャビティ１１Ａに形成されたランス１９の型抜き孔２２にも、この型抜き孔２２の上部両側縁に、上記とほぼ同様の一対のガイド溝２７が形成されている。また、本実施例のハウジング１０には端子金具６０を抜け止め係止するためのリテーナが装着されない。
【００２４】
次に、本実施例の作用効果を説明する。
ハウジング１０の各キャビティ１１内には後方から端子金具６０が挿入される。端子金具６０の挿入過程では、本体部６１が係止突起２１と干渉してランス１９がその根元を支点として型抜き孔２２の撓み空間側に撓み変形させられる。端子金具６０がキャビティ１１内に正規挿入されると、ランス１９が弾性的に復帰するとともに、係止突起２１がランス孔６５内に進入して、端子金具６０がキャビティ１１内に抜け止め係止される。
【００２５】
一方、端子金具６０がキャビティ１１内に正規挿入されず半挿入位置に留め置かれていると、係止突起２１が本体部６１に当接した状態が維持され、ランス１９が撓み空間に撓み変形したままの状態となる。
【００２６】
上記に鑑み、本実施例のコネクタは、図示しない相手ハウジングに嵌合されるに先立ち、端子金具６０がキャビティ１１内に正規挿入されたか否かの検査が行われる。この際、図７〜図９に示す検知用の治具４０が用いられる。治具４０は、ハウジング１０の前面を覆うことが可能な縦壁状の基部４１と、基部４１の高さ方向略中央部から後方に突出する略水平板状の検知本体部４２とを有している。検知本体部４２は両ガイド溝２７の高さ寸法とほぼ同じ板厚を有している。
【００２７】
各キャビティ１１（端側キャビティ１１Ａ）内に端子金具６０が挿入された後、ハウジング１０に治具４０が近づけられ、治具４０の検知本体部４２が孔２２Ａ内に挿入される。この場合に、図３に示すように、キャビティ１１内に端子金具６０が正規挿入されていると、検知本体部４２が背中合わせで配置された両ランス１９における共通の孔２２Ａにおける撓み空間に正規深さで挿入される。
【００２８】
治具４０の挿入過程では、検知本体部４２の幅方向両端部が誘い込み部２８によって両ガイド溝２７内に誘い込まれて両ガイド溝２７内の上下左右の溝面を位置決め状態で摺動し、これによって治具４０の挿入動作が適正に案内される。また、両ガイド溝２７によって検知本体部４２が上下方向に遊動するのが規制されるため、検知本体部４２が撓み状態のランス１９に押圧されて偶発的に隣接するキャビティ１１側に傾倒することがなく、ランス１９が撓み状態にあるときに、端子金具６０が正規挿入位置に至ったと誤認するのが防止される。
【００２９】
一方、図４に示すように、各キャビティ１１内に端子金具６０が半挿入状態で留まっていると、撓み空間に撓み変形した状態にあるランス１９の前端に検知本体部４２が当接し、検知本体部４２が正規深さで挿入されることはない。したがって、検知本体部４２が正規挿入されない場合には、端子金具６０が半挿入状態にあると判断することができ、治具４０によって端子金具６０の挿入状態を検知することが可能となる。なお、端子金具６０が半挿入状態にある場合も、検知本体部４２が両ガイド溝２７によって位置決め案内されるので、撓み状態にあるランス１９に対して治具４０が適正位置から確実に当接することが可能となる。
【００３０】
以上説明したように本実施例によれば、高さ方向で隣接するキャビティ１１（端側キャビティ１１Ａ）間を仕切る隔壁２３にランス１９が背中合わせで配置され、両ランス１９の撓み空間が共通の孔２２Ａに保有されているため、キャビティ１１毎に孔２２Ａが形成されるよりも、全体の構成が簡素化される。また、孔２２Ａの第２側縁２５に一対のガイド溝２７が形成されているため、治具４０が両ガイド溝２７によって確実に位置決め案内され、ガイド機能の信頼性が高められる。
【００３１】
また、一対のガイド溝２７が、幅方向に関して高さ方向で隣接するキャビティ１１のそれぞれの幅内に収まる範囲に配置されているため、ハウジング１０の幅寸法が増加することもない。
【００３２】
さらに、ハウジング１０の前面における両ガイド溝２７の上下両縁部には治具４０を誘い込むための誘い込み部２８が前方に拡開して形成されているため、治具４０がガイド溝２７内に円滑に誘い込まれる。また、誘い込み部２８によってガイド溝２７の上下方向のデッドスペースが有効に利用される。
【００３３】
＜他の実施例＞
本発明は上記記述及び図面によって説明した実施例に限定されるものではなく、例えば次のような態様も本発明の技術的範囲に含まれる。
（１）端子金具に対するランスの係止状態を解除するための治具がその解除操作時に両ガイド溝内に進入する構成であってもよい。
（２）誘い込み部は両ガイド溝の左右両側縁にも形成されていてもよい。
（３）誘い込み部は両ガイド溝に形成されていなくてもよい。
（４）ガイド溝の後端はランスの根元よりも前方に位置していてもよい。
【符号の説明】
【００３４】
１０…ハウジング
１１…キャビティ
１１Ａ…端側キャビティ
１１Ｂ…中央側キャビティ
１９…ランス
２２…型抜き孔
２２Ａ…孔
２７…ガイド溝
４０…治具
４２…検知本体部
【図１】
2014044863.tif 000003
【図２】
2014044863.tif 000004
【図３】
2014044863.tif 000005
【図４】
2014044863.tif 000006
【図５】
2014044863.tif 000007
【図６】
2014044863.tif 000008
【図７】
2014044863.tif 000009
【図８】
2014044863.tif 000010
【図９】
2014044863.tif 000011